【手続補正書】
【提出日】平成19年1月24日(2007.1.24)
【手続補正１】
【補正対象書類名】特許請求の範囲
【補正対象項目名】全文
【補正方法】変更
【補正の内容】
【特許請求の範囲】
【請求項１】
フィルタエレメントをベースに取付けたフィルタであって、前記フィルタエレメントは第一と第二のエンドキャップを軸方向に離間させるように有しており、前記第二エンドキャップは軸方向に流通用の開口部を貫通するように備え、さらに前記エンドキャップの間に軸方向に延ばすとともに、前記軸方向の流通用の開口部と連通する中空室を定める境界に沿って閉ループ状にろ過材を備え、ろ過される流体は、前記ろ過材を横方向に通り抜けた後、軸方向に前記中空室と前記軸方向の流通用の開口部内を流れるようにし、前記第二エンドキャップは前記ろ過材の側方で外側のフランジまで横方向に外側に延び、前記外側のフランジ上にリテーナーを設けて、前記第二エンドキャップで前記フィルタエレメントを前記ベースに取付け、前記リテーナーは、前記第二エンドキャップを前記ベースに対してスナップ係合させるように取付け、前記リテーナーは、前記第二エンドキャップと前記ベースのいずれか一方にフックを設け、かつ前記第二エンドキャップと前記ベースのいずれか他方にキャッチを設け、前記フックは、前記第二エンドキャップと前記ベースの前記いずれか一方上のヒンジ部から軸方向に延びる軸部上に設けられ、前記フックは、前記第二エンドキャップと前記ベースの前記いずれか他方に向って又は離れて、前記キャッチと係合し又は係合を解除するように、前記ヒンジ部に関して横方向に移動可能であることを特徴とするフィルタ。
【請求項２】
前記フックは軸方向に反対側に向うように第一と第二の表面を有し、前記キャッチは軸方向に反対側に向うように第三と第四の表面を有し、前記第二エンドキャップは軸方向の装着動作によって前記ベースに取付けられて、前記第二と第三の表面はカム面として作用して、前記第一表面が前記第四表面を越えて軸方向に移動するまで、第一横方向で側方に前記フックとカム状に作用し、さらに前記フックは前記第一横方向とは反対方向の第二横方向で側方に弾力的に戻って、前記第一表面を前記第四表面と軸方向に並ばせ、かつ軸方向に係合させて、前記第二エンドキャップが前記ベースから軸方向に離れることを防ぐことを特徴とする請求項１に記載のフィルタ。
【請求項３】
前記フックは前記ヒンジ部に関して手動操作によって前記第一横方向に側方に移動可能であって、前記第一表面を前記第四表面から軸方向の整合と軸方向の係合を解除させるように移動させて、前記フックを前記キャッチから解除させることで、前記第二エンドキャップを前記ベースから軸方向に分離させることを特徴とする請求項２に記載のフィルタ。
【請求項４】
前記リテーナーは、前記ヒンジ部で合わさり、かつここから軸方向に互いに反対方向に延びる第一と第二の脚部を有し、前記第二脚部は前記軸部を構成し、前記ヒンジ部から前記フックまで軸方向に延び、前記第一と第二の脚部は前記ヒンジ部を支点とするシーソー状に設けられて、前記第一脚部を手で掴んで前記第二横方向に側方に移動させると、前記第二脚部は前記支点にてピボット状に作用されて、前記第一横方向に移動して、前記フックを前記キャッチから解除して、前記第二エンドキャップを前記ベースから軸方向に分離させることを特徴とする請求項２に記載のフィルタ。
【請求項５】
前記リテーナーは、前記ヒンジ部からタブ部まで軸方向に延びるアームを有し、前記フックは前記ヒンジ部と前記タブ部の間で軸方向で、かつ前記アームから横方向に延び、前記アームは前記フックと前記タブ部の間に延びる第一区間と、前記フックと前記ヒンジ部の間に延びる第二区間を有して、前記軸部を構成することで、前記タブ部で前記アームを手で掴んで前記第一横方向に前記アームを側方に移動させると、前記フックを前記キャッチから解除して、前記第二エンドキャップを前記ベースから軸方向に分離させることを特徴とする請求項３に記載のフィルタ。
【請求項６】
フィルタエレメントをベースに取付けたフィルタであって、前記フィルタエレメントは第一と第二のエンドキャップを軸方向に離間させるように有しており、前記第二エンドキャップは軸方向に流通用の開口部を貫通するように備え、さらに前記エンドキャップの間に軸方向に延ばすとともに、前記軸方向の流通用の開口部と連通する中空室を定める境界に沿って閉ループ状にろ過材を備え、ろ過される流体は、前記ろ過材を横方向に通り抜けた後、軸方向に前記中空室と前記軸方向の流通用の開口部内を流れるようにし、前記第二エンドキャップは前記ろ過材の側方で外側のフランジまで横方向に外側に延び、前記外側のフランジ上にリテーナーを設けて、前記第二エンドキャップで前記フィルタエレメントを前記ベースに取付け、前記リテーナーは、前記第二エンドキャップを前記ベースに対してスナップ係合させるように取付け、前記リテーナーは、前記第二エンドキャップと前記ベースのいずれか一方にフックを設け、かつ前記第二エンドキャップと前記ベースのいずれか他方にキャッチを設け、前記フックは前記第二エンドキャップのヒンジ部から軸方向に延びる軸部上に設けられ、前記フックは前記ヒンジ部に関して前記ろ過材に向って又は離れて、前記キャッチと係合し又はこの係合を解除するように横方向に移動可能であることを特徴とするフィルタ。
【請求項７】
前記フックは、前記ろ過材に向って、前記キャッチの係合を解除するように前記ヒンジ部に関して横方向に移動し、また前記フックは、前記ろ過材から離れて、前記キャッチと係合するように前記ヒンジ部に関して横方向に移動することを特徴とする請求項６に記載のフィルタ。
【請求項８】
前記第二エンドキャップと前記ベースの前記いずれか一方はプラスチック製であって、前記ヒンジ部はスプリングレバーであることを特徴とする請求項１に記載のフィルタ。
【手続補正２】
【補正対象書類名】明細書
【補正対象項目名】０００５
【補正方法】変更
【補正の内容】
【０００５】
即ち、請求項１に記載した発明においては、フィルタエレメントをベースに取付けたフィルタであって、前記フィルタエレメントは第一と第二のエンドキャップを軸方向に離間させるように有しており、前記第二エンドキャップは軸方向に流通用の開口部を貫通するように備え、さらに前記エンドキャップの間に軸方向に延ばすとともに、前記軸方向の流通用の開口部と連通する中空室を定める境界に沿って閉ループ状にろ過材を備え、ろ過される流体は、前記ろ過材を横方向に通り抜けた後、軸方向に前記中空室と前記軸方向の流通用の開口部内を流れるようにし、前記第二エンドキャップは前記ろ過材の側方で外側のフランジまで横方向に外側に延び、前記外側のフランジ上にリテーナーを設けて、前記第二エンドキャップで前記フィルタエレメントを前記ベースに取付け、前記リテーナーは、前記第二エンドキャップを前記ベースに対してスナップ係合させるように取付け、前記リテーナーは、前記第二エンドキャップと前記ベースのいずれか一方にフックを設け、かつ前記第二エンドキャップと前記ベースのいずれか他方にキャッチを設け、前記フックは、前記第二エンドキャップと前記ベースの前記いずれか一方上の前記ヒンジ部から軸方向に延びる軸部上に設けられ、前記フックは、前記第二エンドキャップと前記ベースの前記いずれか他方に向って又は離れて、前記キャッチと係合し又は係合を解除するように、前記ヒンジ部に関して横方向に移動可能であることを特徴とする。
また、請求項６に記載した発明においては、フィルタエレメントをベースに取付けたフィルタであって、前記フィルタエレメントは第一と第二のエンドキャップを軸方向に離間させるように有しており、前記第二エンドキャップは軸方向に流通用の開口部を貫通するように備え、さらに前記エンドキャップの間に軸方向に延ばすとともに、前記軸方向の流通用の開口部と連通する中空室を定める境界に沿って閉ループ状にろ過材を備え、ろ過される流体は、前記ろ過材を横方向に通り抜けた後、軸方向に前記中空室と前記軸方向の流通用の開口部内を流れるようにし、前記第二エンドキャップは前記ろ過材の側方で外側のフランジまで横方向に外側に延び、前記外側のフランジ上にリテーナーを設けて、前記第二エンドキャップで前記フィルタエレメントを前記ベースに取付け、前記リテーナーは、前記第二エンドキャップを前記ベースに対してスナップ係合させるように取付け、前記リテーナーは、前記第二エンドキャップと前記ベースのいずれか一方にフックを設け、かつ前記第二エンドキャップと前記ベースのいずれか他方にキャッチを設け、前記フックは前記第二エンドキャップのヒンジ部から軸方向に延びる軸部上に設けられ、前記フックは前記ヒンジ部に関して前記ろ過材に向って又は離れて、前記キャッチと係合し又はこの係合を解除するように横方向に移動可能であることを特徴とする。